(57)【要約】      （修正有）【課題】折り畳み可能であり、折り畳みによるヒーター線の断線の発生が極めて少ないホルミシス発生マットを提案する。【解決手段】ホルミシス発生マットは、上面シートと下面シートと両者間に収納された１本のヒーター線２３を備え、さらに、内部に並列に配置された３つの平面状加温部４，５，６と、隣り合う平面状加温部間に設けられた２つの加温部不存在部２４，２５と、各平面状加温部の上部に配置された複数の天然放射性鉱物含有セラミックプレート８を保有するセラミックプレート保有シートとを備える。マットは、各加温部不存在部において折り畳み可能である。上面シートは、透明シートであり、ホルミシス発生マット内のセラミックプレート８が視認可能となっている。【選択図】図５
0003210440.tif 000002
【実用新案登録請求の範囲】
【請求項１】
人が横臥可能な大きさを有する上面シートと、前記上面シートの周縁部に周縁部が固着された下面シートと、前記上面シートと前記下面シート間に収納された１本のヒーター線を備えるホルミシス発生マットであって、
前記ホルミシス発生マットは、前記上面シートと前記下面シート間に、並列に配置された３つの平面状加温部を備え、前記各平面状加温部は、前記１本のヒーター線の一部が直線部と曲線部を組み合わせた蛇行形状を繰り返すことにより形成された平面状ヒーター部を備え、さらに、前記ホルミシス発生マットは、内部に収納された温度検知手段および前記温度検知手段に接続された検知手段用ケーブルと、内部に収納されたサーモスタットおよび前記サーモスタットに接続されたサーモスタットケーブルとを備え、
前記ホルミシス発生マットは、隣り合う前記平面状加温部間に設けられた所定幅の２つの加温部不存在部を備え、前記ヒーター線は、隣り合う前記平面状加温部の向かい合う一方の角部付近間の前記加温部不存在部を延びており、前記検知手段用ケーブルおよび前記サーモスタットケーブルは、隣り合う前記平面状加温部の向かい合う他方の角部付近間の前記加温部不存在部を延びており、
前記ホルミシス発生マットは、複数の天然放射性鉱物含有セラミックプレートが固定されたセラミックプレート保有シートを前記各平面状加温部上となるように３枚並列に収納しており、かつ、前記上面シートは、透明シートであり、前記ホルミシス発生マット内の前記セラミックプレートが視認可能であり、さらに、前記ホルミシス発生マットは、前記各加温部不存在部において折り畳み可能となっていることを特徴とするホルミシス発生マット。
【請求項２】
前記複数の天然放射性鉱物含有セラミックプレートは、上面の面積が、１５〜７０ｃｍ２であり、前記各平面状加温部上における枚数が、４〜１２枚である請求項１に記載のホルミシス発生マット。
【請求項３】
前記ホルミシス発生マットは、前記３つの平面状加温部の上面全体を覆う１枚のクッション性保有シートもしくは前記３つの平面状加温部の個々の上面上を覆うように配置された３枚のクッション性保有シートを備え、前記セラミックプレート保有シートは、前記クッション性保有シート上に配置されている請求項１または２に記載のホルミシス発生マット。
【請求項４】
前記平面状ヒーター部は、前記ヒーター線と、前記ヒーター線を覆うヒーター線被包部とを備える請求項１ないし３のいずれかに記載のホルミシス発生マット。
【請求項５】
前記ホルミシス発生マットは、前記下面シートとほぼ同じ形態を有し、かつ前記下面シート上に積層され、周縁部が前記下面シートに固着された熱可塑性積層シートを備え、前記各平面状加温部は、前記熱可塑性積層シートの上面に固定された断熱性シート部と、前記断熱性シート部の上面に固定された前記平面状ヒーター部と、前記平面状ヒーター部の上面に積層されたクッション性保有シートと、前記クッション性保有シートの上面に、前記セラミックプレート保有シートが載置されかつ移動不能となっている請求項１ないし４のいずれかに記載のホルミシス発生マット。
【請求項６】
前記各セラミックプレート保有シートは、複数の穴部を備えるクッション性シートと、前記穴部に収納された複数の前記セラミックプレートと、前記セラミックプレートを前記クッション性シートに固定する固定シートとを備えている請求項１ないし５のいずれかに記載のホルミシス発生マット。
【請求項７】
前記下面シートおよび前記上面シートは熱可塑性シートであり、前記ホルミシス発生マットは、前記下面シートとほぼ同じ形態を有し、かつ前記下面シート上に積層され、周縁部が前記下面シートに固着された熱可塑性積層シートと、前記熱可塑性積層シートの周縁部上を覆うように積層された熱可塑性フレーム状シートとを備え、前記下面シート、前記上面シート、前記熱可塑性積層シートおよび前記熱可塑性フレーム状シートは、周縁部がヒートシールされており、さらに、前記ヒートシール部の内側には、前記熱可塑性フレーム状シートの溶融物により形成された膨出部を備えている請求項１ないし６のいずれかに記載のホルミシス発生マット。
【請求項８】
前記ホルミシス発生マットは、前記下面シートとほぼ同じ形態を有し、かつ前記下面シート上に積層され、周縁部が前記下面シートに固着された熱可塑性積層シートを備え、前記セラミックプレート保有シートは、一端が前記セラミックプレート保有シートに固定され、他端が前記熱可塑性積層シートに固定された接続部を備えている請求項１ないし７のいずれかに記載のホルミシス発生マット。
【請求項９】
前記ホルミシス発生マットは、前記加温部不存在部を通過する部分の前記ヒーター線を被包するヒーター線保護部を備えている請求項１ないし８のいずれかに記載のホルミシス発生マット。
【請求項１０】
前記ホルミシス発生マットは、前記加温部不存在部を通過する部分の前記ケーブルを被包するケーブル保護部を備えている請求項１ないし９のいずれかに記載のホルミシス発生マット。
【請求項１１】
複数の前記セラミックプレートは、前記各平面状加温部上におおよそ均等に配置されている請求項１ないし１０のいずれかに記載のホルミシス発生マット。
【請求項１２】
人が横臥可能な大きさを有する上面シートと、前記上面シートの周縁部に周縁部が固着された下面シートと、前記上面シートと前記下面シート間に収納された１本のヒーター線を備えるホルミシス発生マットであって、
前記ホルミシス発生マットは、前記上面シートと前記下面シート間に、並列に配置された３つの平面状加温部を備え、前記各平面状加温部は、前記１本のヒーター線の一部が直線部と曲線部を組み合わせた蛇行形状を繰り返すことにより形成された平面状ヒーター部を備え、さらに、前記ホルミシス発生マットは、内部に収納された温度検知手段および前記温度検知手段に接続された検知手段用ケーブルと、内部に収納されたサーモスタットおよび前記サーモスタットに接続されたサーモスタットケーブルとを備え、
前記ホルミシス発生マットは、隣り合う前記平面状加温部間に設けられた所定幅の２つの加温部不存在部を備え、前記ヒーター線は、隣り合う前記平面状加温部の向かい合う一方の角部付近間の前記加温部不存在部を延びており、前記検知手段用ケーブルおよび前記サーモスタットケーブルは、隣り合う前記平面状加温部の向かい合う他方の角部付近間の前記加温部不存在部を延びており、
前記ホルミシス発生マットは、複数の天然放射性鉱物含有セラミックプレートが固定されたセラミックプレート保有シートを前記各平面状加温部上となるように３枚並列に収納しており、前記上面シートは、透明シートであり、前記ホルミシス発生マット内の前記セラミックプレートが視認可能であり、前記ホルミシス発生マットは、前記各加温部不存在部において折り畳み可能となっており、
さらに、前記各セラミックプレート保有シートは、複数の穴部を備えるクッション性シートと、前記穴部に収納された複数の前記セラミックプレートと、前記セラミックプレートを前記クッション性シートに固定する固定シートとを備え、
さらに、前記ホルミシス発生マットは、前記加温部不存在部を通過する部分の前記ヒーター線を被包するヒーター線保護部と、前記加温部不存在部を通過する部分の前記ケーブルを被包するケーブル保護部を備えていることを特徴とするホルミシス発生マット。
【請求項１３】
前記複数の天然放射性鉱物含有セラミックプレートは、上面の面積が、１５〜７０ｃｍ２であり、前記各平面状加温部上における枚数が、４〜１２枚である請求項１２に記載のホルミシス発生マット。
【請求項１４】
前記下面シートおよび前記上面シートは熱可塑性シートであり、前記ホルミシス発生マットは、前記下面シートとほぼ同じ形態を有し、かつ前記下面シート上に積層され、周縁部が前記下面シートに固着された熱可塑性積層シートと、前記熱可塑性積層シートの周縁部上を覆うように積層された熱可塑性フレーム状シートとを備え、前記下面シート、前記上面シート、前記熱可塑性積層シートおよび前記熱可塑性フレーム状シートは、周縁部がヒートシールされており、さらに、前記ヒートシール部の内側には、前記熱可塑性フレーム状シートの溶融物により形成された膨出部を備えている請求項１２または１３に記載のホルミシス発生マット。
【考案の詳細な説明】
【技術分野】
【０００１】
本考案は、ヒーターと天然放射性鉱物含有セラミックプレートを使用したホルミシス発生マットに関する。
【背景技術】
【０００２】
従来、この種のマットとして、実用新案登録３１２４２５０（特許文献１）が提案されている。特許文献１のマットは、人が横臥可能な大きさを有するハニカム状シート２と、該シート２上に分散して配置された複数個の天然放射性鉱物含有セラミックプレート３と、ハニカム状シートの下面に設けられ、通電により発熱する加熱手段４とを備える内部構成物Ｂと、該内部構成物Ｂを被包するカバー５とを備える。
【先行技術文献】
【特許文献】
【０００３】
【特許文献１】実用新案登録３１２４２５０
【考案の概要】
【考案が解決しようとする課題】
【０００４】
特許文献１のものでは、通気性、柔軟性を持たせるハニカム状シートと、該シート上に分散配置された複数個の天然放射性鉱物含有セラミックプレートと、ハニカム状シートの下面の加熱手段とを備える内部構成物をカバーで被包したので、人が横臥してもセラミックプレートによる違和感がなく、かつ、セラミックプレートの加熱および横臥する者への加熱を確実に行え、セラミックプレートに起因する微量放射線、遠赤外線等による効果が期待できる点において有効である。
【０００５】
特許文献１のマットは、運搬可能であるが平坦マット状であるため運搬自体容易ではなく、小型化できることが望まれていた。
そこで、本考案の目的は、ヒーターと天然放射性鉱物含有セラミックプレートを使用したホルミシス発生マットであって、３つに折り畳み可能であり、取り扱い、運搬等が容易であるホルミシス発生マットを提案する。
【課題を解決するための手段】
【０００６】
上記目的を達成するものは、以下のものである。
（１）  人が横臥可能な大きさを有する上面シートと、前記上面シートの周縁部に周縁部が固着された下面シートと、前記上面シートと前記下面シート間に収納された１本のヒーター線を備えるホルミシス発生マットであって、
前記ホルミシス発生マットは、前記上面シートと前記下面シート間に、並列に配置された３つの平面状加温部を備え、前記各平面状加温部は、前記１本のヒーター線の一部が直線部と曲線部を組み合わせた蛇行形状を繰り返すことにより形成された平面状ヒーター部を備え、さらに、前記ホルミシス発生マットは、内部に収納された温度検知手段および前記温度検知手段に接続された検知手段用ケーブルと、内部に収納されたサーモスタットおよび前記サーモスタットに接続されたサーモスタットケーブルとを備え、
前記ホルミシス発生マットは、隣り合う前記平面状加温部間に設けられた所定幅の２つの加温部不存在部を備え、前記ヒーター線は、隣り合う前記平面状加温部の向かい合う一方の角部付近間の前記加温部不存在部を延びており、前記検知手段用ケーブルおよび前記サーモスタットケーブルは、隣り合う前記平面状加温部の向かい合う他方の角部付近間の前記加温部不存在部を延びており、
前記ホルミシス発生マットは、複数の天然放射性鉱物含有セラミックプレートが固定されたセラミックプレート保有シートを前記各平面状加温部上となるように３枚並列に収納しており、かつ、前記上面シートは、透明シートであり、前記ホルミシス発生マット内の前記セラミックプレートが視認可能であり、さらに、前記ホルミシス発生マットは、前記各加温部不存在部において折り畳み可能となっているホルミシス発生マット。
【０００７】
（２）  前記複数の天然放射性鉱物含有セラミックプレートは、上面の面積が、１５〜７０ｃｍ２であり、前記各平面状加温部上における枚数が、４〜１２枚である上記（１）に記載のホルミシス発生マット。
（３）  前記ホルミシス発生マットは、前記３つの平面状加温部の上面全体を覆う１枚のクッション性保有シートもしくは前記３つの平面状加温部の個々の上面上を覆うように配置された３枚のクッション性保有シートを備え、前記セラミックプレート保有シートは、前記クッション性保有シート上に配置されている上記（１）または（２）に記載のホルミシス発生マット。
（４）  前記平面状ヒーター部は、前記ヒーター線と、前記ヒーター線を覆うヒーター線被包部とを備える上記（１）ないし（３）のいずれかに記載のホルミシス発生マット。
（５）  前記ホルミシス発生マットは、前記下面シートとほぼ同じ形態を有し、かつ前記下面シート上に積層され、周縁部が前記下面シートに固着された熱可塑性積層シートを備え、前記各平面状加温部は、前記熱可塑性積層シートの上面に固定された断熱性シート部と、前記断熱性シート部の上面に固定された前記平面状ヒーター部と、前記平面状ヒーター部の上面に積層されたクッション性保有シートと、前記クッション性保有シートの上面に、前記セラミックプレート保有シートが載置されかつ移動不能となっている上記（１）ないし（４）のいずれかに記載のホルミシス発生マット。
（６）  前記各セラミックプレート保有シートは、複数の穴部を備えるクッション性シートと、前記穴部に収納された複数の前記セラミックプレートと、前記セラミックプレートを前記クッション性シートに固定する固定シートとを備えている上記（１）ないし（５）のいずれかに記載のホルミシス発生マット。
（７）  前記下面シートおよび前記上面シートは熱可塑性シートであり、前記ホルミシス発生マットは、前記下面シートとほぼ同じ形態を有し、かつ前記下面シート上に積層され、周縁部が前記下面シートに固着された熱可塑性積層シートと、前記熱可塑性積層シートの周縁部上を覆うように積層された熱可塑性フレーム状シートとを備え、前記下面シート、前記上面シート、前記熱可塑性積層シートおよび前記熱可塑性フレーム状シートは、周縁部がヒートシールされており、さらに、前記ヒートシール部の内側には、前記熱可塑性フレーム状シートの溶融物により形成された膨出部を備えている上記（１）ないし（６）のいずれかに記載のホルミシス発生マット。
（８）  前記ホルミシス発生マットは、前記下面シートとほぼ同じ形態を有し、かつ前記下面シート上に積層され、周縁部が前記下面シートに固着された熱可塑性積層シートを備え、前記セラミックプレート保有シートは、一端が前記セラミックプレート保有シートに固定され、他端が前記熱可塑性積層シートに固定された接続部を備えている上記（１）ないし（７）のいずれかに記載のホルミシス発生マット。
（９）  前記ホルミシス発生マットは、前記加温部不存在部を通過する部分の前記ヒーター線を被包するヒーター線保護部を備えている上記（１）ないし（８）のいずれかに記載のホルミシス発生マット。
（１０）  前記ホルミシス発生マットは、前記加温部不存在部を通過する部分の前記ケーブルを被包するケーブル保護部を備えている上記（１）ないし（９）のいずれかに記載のホルミシス発生マット。
（１１）  複数の前記セラミックプレートは、前記各平面状加温部上におおよそ均等に配置されている上記（１）ないし（１０）のいずれかに記載のホルミシス発生マット。
【０００８】
また、上記目的を達成するものは、以下のものである。
（１２）  人が横臥可能な大きさを有する上面シートと、前記上面シートの周縁部に周縁部が固着された下面シートと、前記上面シートと前記下面シート間に収納された１本のヒーター線を備えるホルミシス発生マットであって、
前記ホルミシス発生マットは、前記上面シートと前記下面シート間に、並列に配置された３つの平面状加温部を備え、前記各平面状加温部は、前記１本のヒーター線の一部が直線部と曲線部を組み合わせた蛇行形状を繰り返すことにより形成された平面状ヒーター部を備え、さらに、前記ホルミシス発生マットは、内部に収納された温度検知手段および前記温度検知手段に接続された検知手段用ケーブルと、内部に収納されたサーモスタットおよび前記サーモスタットに接続されたサーモスタットケーブルとを備え、
前記ホルミシス発生マットは、隣り合う前記平面状加温部間に設けられた所定幅の２つの加温部不存在部を備え、前記ヒーター線は、隣り合う前記平面状加温部の向かい合う一方の角部付近間の前記加温部不存在部を延びており、前記検知手段用ケーブルおよび前記サーモスタットケーブルは、隣り合う前記平面状加温部の向かい合う他方の角部付近間の前記加温部不存在部を延びており、
前記ホルミシス発生マットは、複数の天然放射性鉱物含有セラミックプレートが固定されたセラミックプレート保有シートを前記各平面状加温部上となるように３枚並列に収納しており、前記上面シートは、透明シートであり、前記ホルミシス発生マット内の前記セラミックプレートが視認可能であり、前記ホルミシス発生マットは、前記各加温部不存在部において折り畳み可能となっており、
さらに、前記各セラミックプレート保有シートは、複数の穴部を備えるクッション性シートと、前記穴部に収納された複数の前記セラミックプレートと、前記セラミックプレートを前記クッション性シートに固定する固定シートとを備え、
さらに、前記ホルミシス発生マットは、前記加温部不存在部を通過する部分の前記ヒーター線を被包するヒーター線保護部と、前記加温部不存在部を通過する部分の前記ケーブルを被包するケーブル保護部を備えているホルミシス発生マット。
【０００９】
（１３）  前記複数の天然放射性鉱物含有セラミックプレートは、上面の面積が、１５〜７０ｃｍ２であり、前記各平面状加温部上における枚数が、４〜１２枚である上記（１２）に記載のホルミシス発生マット。
（１４）  前記下面シートおよび前記上面シートは熱可塑性シートであり、前記ホルミシス発生マットは、前記下面シートとほぼ同じ形態を有し、かつ前記下面シート上に積層され、周縁部が前記下面シートに固着された熱可塑性積層シートと、前記熱可塑性積層シートの周縁部上を覆うように積層された熱可塑性フレーム状シートとを備え、前記下面シート、前記上面シート、前記熱可塑性積層シートおよび前記熱可塑性フレーム状シートは、周縁部がヒートシールされており、さらに、前記ヒートシール部の内側には、前記熱可塑性フレーム状シートの溶融物により形成された膨出部を備えている上記（１２）または（１３）に記載のホルミシス発生マット。
【考案の効果】
【００１０】
本考案のホルミシス発生マットは、人が横臥可能な大きさを有する上面シートと、上面シートの周縁部に周縁部が固着された下面シートと、上面シートと下面シート間に収納された１本のヒーター線を備える。ホルミシス発生マットは、上面シートと下面シート間に、並列に配置された３つの平面状加温部を備え、各平面状加温部は、１本のヒーター線の一部が直線部と曲線部を組み合わせた蛇行形状を繰り返すことにより形成された平面状ヒーター部を備え、さらに、ホルミシス発生マットは、内部に収納された温度検知手段および温度検知手段に接続された検知手段用ケーブルと、内部に収納されたサーモスタットおよびサーモスタットに接続されたサーモスタットケーブルとを備える。ホルミシス発生マットは、隣り合う平面状加温部間に設けられた所定幅の２つの加温部不存在部を備え、ヒーター線は、隣り合う平面状加温部の向かい合う一方の角部付近間の加温部不存在部を延びており、検知手段用ケーブルおよびサーモスタットケーブルは、隣り合う平面状加温部の向かい合う他方の角部付近間の加温部不存在部を延びている。さらに、ホルミシス発生マットは、複数の天然放射性鉱物含有セラミックプレートが固定されたセラミックプレート保有シートを前記各平面状加温部上となるように３枚並列に収納しており、かつ、上面シートは、透明シートであり、ホルミシス発生マット内のセラミックプレートが視認可能であり、さらに、ホルミシス発生マットは、各加温部不存在部において折り畳み可能となっている。
【００１１】
このホルミシス発生マットは、各加温部不存在部において折り畳むことができ、マット全体を三つ折りとすることができ、運搬が容易であり、また、非使用時の収納も容易である。また、各加温部不存在部では、ヒーター線、検知手段用ケーブルおよびサーモスタットケーブルは、隣り合う平面状加温部の向かい合う角部付近間の加温部不存在部を延びるため、折り畳みに起因する断線の発生が極めて少ない。また、平面状加温部により加温された天然放射性鉱物含有セラミックプレートが、放射する微量放射線、遠赤外線等によりホルミシスの発生が期待できる。
【図面の簡単な説明】
【００１２】
【図１】図１は、本考案の実施例のホルミシス発生マットの平面図である。
【図２】図２は、図１のＡ−Ａ線断面図である。
【図３】図３は、図２に示したホルミシス発生マットの内部構成物を説明するための説明図である。
【図４】図４は、図３の部分拡大図である。
【図５】図５は、図１に示したホルミシス発生マットの平面状加温部を説明するための説明図である。
【図６】図６は、図１に示したホルミシス発生マットのセラミックプレート保有シートの形態を説明するための説明図である。
【図７】図７は、図１に示したホルミシス発生マットの周縁部の固着形態を説明するための説明図である。
【図８】図８は、本考案のホルミシス発生マットの作用を説明するための説明図である。
【考案を実施するための形態】
【００１３】
本考案のホルミシス発生マットを図面に示す実施例を用いて説明する。
本考案のホルミシス発生マット１は、人が横臥可能な大きさを有する上面シート２１と、上面シート２１の周縁部に周縁部が固着された下面シート２２と、上面シート２１と下面シート２２間に収納された１本のヒーター線２３を備える。
【００１４】
ホルミシス発生マット１は、上面シート２１と下面シート２２間に、並列に配置された３つの平面状加温部４，５，６を備え、各平面状加温部４，５，６は、１本のヒーター線２３の一部が直線部と曲線部を組み合わせた蛇行形状を繰り返すことにより形成された平面状ヒーター部４１，５１，６１を備える。ホルミシス発生マット１は、内部に収納された温度検知手段５２および温度検知手段５２に接続された検知手段用ケーブル５３と、内部に収納されたサーモスタット４２，６２およびサーモスタット４２，６２に接続されたサーモスタットケーブル６３とを備える。
【００１５】
ホルミシス発生マット１は、隣り合う平面状加温部４，５，６間に設けられた所定幅の２つの加温部不存在部２４，２５を備え、ヒーター線２３は、隣り合う平面状加温部４，５，６の向かい合う一方の角部付近間の加温部不存在部２４，２５を延びており、検知手段用ケーブル５３およびサーモスタットケーブル６３は、隣り合う平面状加温部４，５，６の向かい合う他方の角部付近間の加温部不存在部２４，２５を延びている。
【００１６】
さらに、ホルミシス発生マット１は、複数の天然放射性鉱物含有セラミックプレート８が固定されたセラミックプレート保有シートを各平面状加温部４，５，６上となるように３枚並列に収納している。
【００１７】
そして、上面シート２１は、透明シートであり、ホルミシス発生マット１内のセラミックプレート８が視認可能となっている。さらに、ホルミシス発生マット１は、各加温部不存在部２４，２５において折り畳み可能となっている。
【００１８】
この実施例のホルミシス発生マットは、図１に示すように、マット本体２と、マット本体２に着脱可能なコントローラ３とを備える。
マット本体２は、図１ないし図３に示すように、上面シート２１と下面シート２２間に、並列に配置された３つの平面状加温部４，５，６と、それらの間に設けられた所定幅の２つの加温部不存在部２４，２５を備え、各加温部不存在部２４，２５において折り畳み可能となっている。
【００１９】
図示する実施例では、マット本体２は、図８に示すように、人１０が横臥可能な大きさを有する上面シート２１と、上面シート２１の周縁部に周縁部が固着された下面シート２２と、上面シート２１と下面シート２２間に収納された１本のヒーター線２３を備える。ヒーター線２３は、３つの平面状加温部４，５，６の全体を延びるように配置されている。
【００２０】
上面シート２１および下面シート２２としては、熱可塑性可撓性シートが用いられる。また、上面シート２１としては、ホルミシス発生マット１の内部が視認可能な透明シートが用いられており、マット1内のセラミックプレート８を上面シート越しに確認することができる。
熱可塑性可撓性シートの形成材料としては、軟質ポリ塩化ビニル、ポリ酢酸ビニル、ポリエステル（例えば、ポリエチレンテレフタレート、ポリブチレンテレフタレート）、ポリアミド、ポリウレタン（ポリエステル系ポリウレタン、ポリエーテル系ポリウレタン）、ポリオレフィン（ポリエチレン、ポリプロピレン、エチレン−プロピレンコポリマー、エチレン−酢酸ビニル共重合体）などが使用できる。
【００２１】
図２，図３および図７に示すように、この実施例のホルミシス発生マット１は、下面シート２２とほぼ同じ形態を有し、かつ下面シート２２上に積層され、周縁部が下面シート２２に固着された熱可塑性積層シート２６を備える。
そして、各平面状加温部４，５，６は、熱可塑性積層シート２６の上面に固定された断熱性シート部と、断熱性シート部の上面に固定された平面状ヒーター部４１，５１，６１と、平面状ヒーター部４１，５１，６１の上面に固定された温度検知手段５２とサーモスタット４２，６２とにより構成されている。
【００２２】
図１および図５に示すように、平面状ヒーター部４１，５１，６１は、連続する１本のヒーター線２３の一部が直線部と曲線部を組み合わせた蛇行形状を繰り返すことにより形成されている。ヒーター線２３としては公知のものが使用できる。ヒーター線は、通電により発熱する電気ヒーター線を耐熱かつ絶縁性樹脂により被覆したものが一般的であり、このようなものが好適に使用できる。
【００２３】
図１よび図５に示すように、温度検知手段５２は、いずれの平面状加温部４，５，６に配置してもよく、すべての平面状加温部に配置してもよい。この実施例のマット１では、中央部の平面状加温部５に設けられている。また、温度検知手段５２は、平面状ヒーター部の上面に配置することが好ましい。さらに、この実施例のマット１では、２つの温度検知手段５２が用いられている。そして、この実施例のマット１は、温度検知手段５２により検知される温度データを用いて、発熱温度を調整する機能および過剰加熱時の通電遮断機能を備えている。温度検知手段５２としては、サーミスタ、熱電対などが使用される。
【００２４】
図１および図５に示すように、本考案のマット１は、サーモスタット４２，６２を備えている。サーモスタットは、いずれの平面状加温部４，５，６に配置してもよく、すべての平面状加温部に配置してもよい。この実施例のマット１では、一端側の平面状加温部４に配置されたサーモスタット４２と、他端側の平面状加温部６に配置されたサーモスタット６２を備えている。さらに、各サーモスタット４２，６２は、それぞれ２つ設けられている。
【００２５】
すべてのサーモスタット４２，６２は、サーモスタットケーブル６３により電気的に接続されている。サーモスタットケーブル６３は、一端が接点７６により、ヒーター線２３と電気的に接続されており、他端が、マット側コネクタ３６に電気的に接続されている。サーモスタット４２，６２としては、公知のものが好適に使用できる。サーモスタット４２，６２は、所定温度に到達したときに、通電を遮断するに使用される。所定温度としては、５０〜７０℃程度が考えられる。
サーモスタット４２，６２のいずれか１つが作動することにより、ヒーター線２３への通電が遮断される。
【００２６】
また、この実施例のマット１では、平面状ヒーター部４１，５１，６１は、図７に示すように、ヒーター線２３と、ヒーター線２３を覆うヒーター線被包部とを備える。図示する実施例のマット本体２では、ヒーター線被包部は、上部布帛６１ａと下部布帛６１ｂにより構成されており、両者間にヒーター線が挟み込まれたものとなっている。なお、ヒーター線被包部は、１枚の袋状のものであってもよい。
【００２７】
また、この実施例のホルミシス発生マット１では、断熱性シート部は、第１の断熱シート４６，５６，６６と、第１の断熱シートの上面に固定された第２の断熱性シート４７，５７，６７により構成されている。第１の断熱シートとしては、硬質スポンジシート、発泡樹脂シートなどが使用でき、第２の断熱シートとしては、フェルトシート、ゴムシートなどが好適である。
【００２８】
この実施例のホルミシス発生マット１では、図２および図３に示すように、平面状ヒーター部４１，５１，６１の上面には、温度検知手段５２，サーモスタット４２，６２とともに平面状ヒーター部４１，５１，６１の上面全体を被包するクッション性保有シート２８を備えている。クッション性保有シート２８は、平面状ヒーター部４１，５１，６１の上面に固定（具体的には、周縁部にて固定）されている。
【００２９】
クッション性保有シート２８は、図４に示すように、温度検知手段５２，サーモスタット４２，６２を収納するための開口部７７を備えており、温度検知手段５２，サーモスタット４２，６２は、クッション性保有シート２８の開口部に収納されている。そして、このクッション性保有シート２８の上面に、セラミックプレート保有シートが、載置されかつ移動不能となっている。
【００３０】
なお、この実施例のホルミシス発生マット１では、図２および図３に示すように、クッション性保有シート２８は、３つの平面状加温部４，５，６の全体（言い換えれば、平面状ヒーター部４１，５１，６１の上面全体）を覆う１枚のシートとなっている。なお、クッション性保有シートは、３つの平面状加温部４，５，６の上面を個々に覆う３枚のシートであってもよい。
【００３１】
クッション性保有シートとしては、ハニカムメッシュシート、フェルトシート、軟質ゴムシート、硬質スポンジなどが使用できる。特に、ハニカムメッシュシートが好適である。ハニカムメッシュシートは、平面視において多数のハニカム形態により構成されたシートであり、ハニカム形態を形成する側面は、メッシュ状となっている。ハニカムメッシュシートは、樹脂製ファイバーを立体的に編み、六角形（六角柱）の網目を持つものであり、弾性と、樹脂製ファイバーからなる多数の縦糸によって確保された復元性の両者を備える。このため、ハニカムメッシュシートは、良好な通気性、柔軟性、クッション性が有している。
【００３２】
本考案のホルミシス発生マット１は、図１ないし図３に示すように、隣り合う平面状加温部４，５，６間に設けられた所定幅の２つの加温部不存在部２４，２５を備える。加温部不存在部２４，２５の所定幅、言い換えれば、隣り合う平面状加温部４，５，６の離間距離は、３０〜７０ｍｍが好適であり、特に、３５〜６５ｍｍが好適である。
【００３３】
ヒーター線２３は、隣り合う平面状加温部４，５，６の向かい合う一方の角部付近間の加温部不存在部２４，２５を延びており、検知手段用ケーブル５３およびサーモスタットケーブル６３は、隣り合う平面状加温部４，５，６の向かい合う他方の角部付近間の加温部不存在部２４，２５を延びている。加温部不存在部２４，２５には、ヒーター線２３の短い部分が直線的に延びるのみであり、いずれの平面状加温部も位置せず、加温不能となっている。
【００３４】
この実施例のホルミシス発生マット１では、各加温部不存在部２４，２５におけるヒーター線２３とケーブル５３，６３は、実質的に平面状加温部４，５，６の幅分（言い換えれば、加温部不存在部２４，２５の幅分）離間するので、折り畳み時の抵抗となりにくく、折り畳みが容易なものとなっている。
【００３５】
また、この実施例のホルミシス発生マット１では、複数の天然放射性鉱物含有セラミックプレート８が固定された３枚のセラミックプレート保有シート４８，５８，６８が、各平面状加温部４，５，６上となるように並列に配置されるとともに、内部に収納されている。セラミックプレート保有シートは、マット本体２内のいずれかの部位と固定されており、マット内部において移動不能となっている。
【００３６】
天然放射性鉱物含有セラミックプレート８としては、セラミック材に天然放射性鉱物を入れて小さな板状に成形したプレートである。この実施例では、セラミックプレート８は、円盤状のものとなっている。セラミックプレート８は、多角形盤状（具体的には、４ないし１２角形）のものであってもよい。また、セラミックプレート８は、上面の角部が面取りされたものが好適である。さらに、セラミックプレート８は、上面が、中心から周縁部に向かってなだらかに傾斜するものが好適である。
セラミックプレート８が含有する天然放射性鉱物としては、微弱で微量の放射線を発生する鉱物が用いられる。天然放射性鉱物としては、例えば、ニンギョウ石、センウラン鉱、カツレン石、トリウム石、モナザイト、サマルスキー石、ヘエルグリン石、ゼノタイム、トロゴム石、変種ジルコン、パイロクロワからなる群より選択される少なくとも１種のものが好適である。
【００３７】
セラミックプレート８としては、上述したような天然放射性鉱物を含有し焼成したものが好適である。セラミックプレート８は、微弱で微量の放射線を持続的に放出する。この放射線は微弱で微量で、人体に悪影響を及ぼすことはなく、健康増進をさせるものといわれている。これが、所謂ホルミシス効果である。放射線により人体の免疫力を高め、かつ細胞の働きを活発として新陳代謝を促進して、健康増進を図る。また、放射線の作用でマイナスイオンを発生させ、体内に吸い込ませて、自律神経をやわらげる働きをさせる。
【００３８】
天然放射性鉱物含有セラミックプレート８は、上面の面積が、１５〜７０ｃｍ２であることが好ましい。特に、セラミックプレート８は、上面の面積が、２５〜６０ｃｍ２のものが好適である。そして、各平面状加温部４，５，６上に配置されるセラミックプレート８の枚数は、４〜１２枚であることが好ましい。特に、セラミックプレート８の枚数は、５〜１０枚が好適である。また、マット全体におけるセラミックプレート８の枚数は、１２〜３０枚程度が好適であり、特に、１５〜２５枚がより好適である。
【００３９】
そして、図１および図６に示すように、複数の天然放射性鉱物含有セラミックプレート８は、各平面状加温部４，５，６上におおよそ均等に配置されている。具体的には、各平面状加温部４，５，６上におけるマット本体２の長手方向に隣り合うセラミックプレート８は、ほぼ等距離離間しており、同様に、マット本体２の幅方向に隣り合うセラミックプレート８も、ほぼ等距離離間している。そして、この実施例のマット１では、セラミックプレート８の長手方向離間距離および幅方向離間距離は、ほぼ等しいものとなっている。また、各加温部不存在部２４，２５には、セラミックプレート８は、配置されていない。
【００４０】
この実施例のマット本体２におけるセラミックプレート保有シート４８，５８，６８は、図４および図７に示すように、クッション性シート７１を備える。そして、クッション性シート７１は、セラミックプレート８を収納する穴部を備え、この穴部にセラミックプレート８が、配置されている。
【００４１】
さらに、セラミックプレート保有シート４８，５８，６８は、セラミックプレート８を収納したクッション性シート７１の下面に固着された下面側固定シート７２を備えている。なお、クッション性シート７１の上面にも上面側固定シートを設けてもよい。上面側固定シートは、透明シートであることが好ましい。なお、セラミックプレート保有シートとしては、クッション性シートの上面にセラミックプレート８が固定されたものであってもよい。
【００４２】
また、この実施例のマット本体２では、図７に示すように、上面シート２１および下面シート２２は熱可塑性シートであり、ホルミシス発生マット１は、下面シート２２とほぼ同じ形態を有し、かつ下面シート２２上に積層され、周縁部が下面シート２２に固着された熱可塑性積層シート２６と、熱可塑性積層シート２６の周縁部上を覆うように積層された熱可塑性フレーム状シート２７とを備えている。
【００４３】
下面シート２２、上面シート２１、熱可塑性積層シート２６および熱可塑性フレーム状シート２７は、周縁部がヒートシールされている。さらに、図７に示すように、ヒートシール部の内側には、熱可塑性フレーム状シート２７の溶融物により形成された膨出部２７ａを備えている。この膨出部２７ａが、マット本体２の周縁ヒートシール部の補強部として機能する。
【００４４】
また、上述したように、セラミックプレート保有シートは、マット本体２内のいずれかの部位と固定されており、マット内において移動不能となっている。セラミックプレート保有シートの固定形態としては、セラミックプレート保有シートが、一端がセラミックプレート保有シートに固定され、他端が熱可塑性積層シート２６に固定された接続部を備えることにより、固定されたものであってもよい。接続部としては、帯状の熱可塑性シートが好適に使用できる。熱可塑性積層シート２６、熱可塑性フレーム状シート２７、上記の接続部を形成する帯状の熱可塑性シートの形成材料としては、上面シート２１および下面シート２２にて説明した材料が好適に使用できる。特に、上面シート２１および下面シート２２の形成材料とヒートシール可能な材料、言い換えれば、溶融接着性、相溶性を有するものが好適である。
【００４５】
そして、ホルミシス発生マット１は、加温部不存在部２４，２５を通過する部分のヒーター線２３を被包するヒーター線保護部７５を備えることが好ましい。同様に、加温部不存在部２４，２５を通過する部分の検知手段用ケーブル５３およびサーモスタットケーブル６３を被包するケーブル保護部６５を備えることが好ましい。ヒーター線保護部７５、ケーブル保護部６５としては、布帛、可撓性シートを巻き付けたもの、可撓性チューブ、弾性チューブなどが好適である。
【００４６】
また、図１に示す実施例のホルミシス発生マット１は、マット本体２に設けられたマット側コネクタ３６と、このコネクタ３６に接続されるコントローラ３を備えている。コントローラ３は、本体３１と、マット側コネクタ３６に着脱自在に接続されるコントローラ側コネクタ３２と、電源プラグ３３と、ケーブル３４，３５を備えている。コントローラ３は、電源スイッチ、電源ランプ、温度調節つまみ、タイマー切り替えつまみ、タイマーランプ等が備える。また、コントローラは、温度検知手段４２，５２，６２により検知される温度データを用いて、発熱温度を調整する機能および過剰加熱時の通電遮断機能を備えている。
【符号の説明】
【００４７】
１  ホルミシス発生マット
２  マット本体
４，５，６  平面状加温部
８  天然放射性鉱物含有セラミックプレート
２１  上面シート
２２  下面シート
２３  ヒーター線
２４，２５  加温部不存在部
４１，５１，６１  平面状ヒーター部
５２  温度検知手段
５３  検知手段用ケーブル
４２，６２  サーモスタット
６３  サーモスタットケーブル
【図１】
0003210440.tif 000003
【図２】
0003210440.tif 000004
【図３】
0003210440.tif 000005
【図４】
0003210440.tif 000006
【図５】
0003210440.tif 000007
【図６】
0003210440.tif 000008
【図７】
0003210440.tif 000009
【図８】
0003210440.tif 000010
【手続補正書】
【提出日】平成29年3月17日(2017.3.17)
【手続補正１】
【補正対象書類名】実用新案登録請求の範囲
【補正対象項目名】全文
【補正方法】変更
【補正の内容】
【実用新案登録請求の範囲】
【請求項１】
人が横臥可能な大きさを有する上面シートと、前記上面シートの周縁部に周縁部が固着された下面シートと、前記上面シートと前記下面シート間に収納された１本のヒーター線を備えるホルミシス発生マットであって、
前記ホルミシス発生マットは、前記上面シートと前記下面シート間に、並列に配置された３つの平面状加温部を備え、前記各平面状加温部は、前記１本のヒーター線の一部が直線部と曲線部を組み合わせた蛇行形状を繰り返すことにより形成された平面状ヒーター部を備え、さらに、前記ホルミシス発生マットは、内部に収納された温度検知手段および前記温度検知手段に接続された検知手段用ケーブルと、内部に収納されたサーモスタットおよび前記サーモスタットに接続されたサーモスタットケーブルとを備え、
前記ホルミシス発生マットは、隣り合う前記平面状加温部間に設けられた所定幅の２つの加温部不存在部を備え、前記ヒーター線は、隣り合う前記平面状加温部の向かい合う一方の角部付近間の前記加温部不存在部を延びており、前記検知手段用ケーブルおよび前記サーモスタットケーブルは、隣り合う前記平面状加温部の向かい合う他方の角部付近間の前記加温部不存在部を延びており、
前記ホルミシス発生マットは、複数の天然放射性鉱物含有セラミックプレートが固定されたセラミックプレート保有シートを前記各平面状加温部上となるように３枚並列に収納しており、かつ、前記上面シートは、透明シートであり、前記ホルミシス発生マット内の前記セラミックプレートが視認可能であり、さらに、前記ホルミシス発生マットは、前記各加温部不存在部において折り畳み可能となっていることを特徴とするホルミシス発生マット。
【請求項２】
前記複数の天然放射性鉱物含有セラミックプレートは、上面の面積が、１５〜７０ｃｍ２であり、前記各平面状加温部上における枚数が、４〜１２枚である請求項１に記載のホルミシス発生マット。
【請求項３】
前記ホルミシス発生マットは、前記３つの平面状加温部の上面全体を覆う１枚のクッション性保有シートもしくは前記３つの平面状加温部の個々の上面上を覆うように配置された３枚のクッション性保有シートを備え、前記セラミックプレート保有シートは、前記クッション性保有シート上に配置されている請求項１または２に記載のホルミシス発生マット。
【請求項４】
前記平面状ヒーター部は、前記ヒーター線と、前記ヒーター線を覆うヒーター線被包部とを備える請求項１ないし３のいずれかに記載のホルミシス発生マット。
【請求項５】
前記ホルミシス発生マットは、前記下面シートとほぼ同じ形態を有し、かつ前記下面シート上に積層され、周縁部が前記下面シートに固着された熱可塑性積層シートを備え、前記各平面状加温部は、前記熱可塑性積層シートの上面に固定された断熱性シート部と、前記断熱性シート部の上面に固定された前記平面状ヒーター部と、前記平面状ヒーター部の上面に積層されたクッション性保有シートと、前記クッション性保有シートの上面に、前記セラミックプレート保有シートが載置されかつ移動不能となっている請求項１ないし４のいずれかに記載のホルミシス発生マット。
【請求項６】
前記各セラミックプレート保有シートは、複数の穴部を備えるクッション性シートと、前記穴部に収納された複数の前記セラミックプレートと、前記セラミックプレートを前記クッション性シートに固定する固定シートとを備えている請求項１ないし５のいずれかに記載のホルミシス発生マット。
【請求項７】
前記下面シートおよび前記上面シートは熱可塑性シートであり、前記ホルミシス発生マットは、前記下面シートとほぼ同じ形態を有し、かつ前記下面シート上に積層され、周縁部が前記下面シートに固着された熱可塑性積層シートと、前記熱可塑性積層シートの周縁部上を覆うように積層された熱可塑性フレーム状シートとを備え、前記下面シート、前記上面シート、前記熱可塑性積層シートおよび前記熱可塑性フレーム状シートは、周縁部がヒートシールされており、さらに、前記ヒートシール部の内側には、前記熱可塑性フレーム状シートの溶融物により形成された膨出部を備えている請求項１ないし６のいずれかに記載のホルミシス発生マット。
【請求項８】
前記ホルミシス発生マットは、前記下面シートとほぼ同じ形態を有し、かつ前記下面シート上に積層され、周縁部が前記下面シートに固着された熱可塑性積層シートを備え、前記セラミックプレート保有シートは、一端が前記セラミックプレート保有シートに固定され、他端が前記熱可塑性積層シートに固定された接続部を備えている請求項１ないし７のいずれかに記載のホルミシス発生マット。
【請求項９】
前記ホルミシス発生マットは、前記加温部不存在部を通過する部分の前記ヒーター線を被包するヒーター線保護部を備えている請求項１ないし８のいずれかに記載のホルミシス発生マット。
【請求項１０】
前記ホルミシス発生マットは、前記加温部不存在部を通過する部分の前記検知手段用ケーブルおよび前記サーモスタットケーブルを被包するケーブル保護部を備えている請求項１ないし９のいずれかに記載のホルミシス発生マット。
【請求項１１】
複数の前記セラミックプレートは、前記各平面状加温部上におおよそ均等に配置されている請求項１ないし１０のいずれかに記載のホルミシス発生マット。
【請求項１２】
人が横臥可能な大きさを有する上面シートと、前記上面シートの周縁部に周縁部が固着された下面シートと、前記上面シートと前記下面シート間に収納された１本のヒーター線を備えるホルミシス発生マットであって、
前記ホルミシス発生マットは、前記上面シートと前記下面シート間に、並列に配置された３つの平面状加温部を備え、前記各平面状加温部は、前記１本のヒーター線の一部が直線部と曲線部を組み合わせた蛇行形状を繰り返すことにより形成された平面状ヒーター部を備え、さらに、前記ホルミシス発生マットは、内部に収納された温度検知手段および前記温度検知手段に接続された検知手段用ケーブルと、内部に収納されたサーモスタットおよび前記サーモスタットに接続されたサーモスタットケーブルとを備え、
前記ホルミシス発生マットは、隣り合う前記平面状加温部間に設けられた所定幅の２つの加温部不存在部を備え、前記ヒーター線は、隣り合う前記平面状加温部の向かい合う一方の角部付近間の前記加温部不存在部を延びており、前記検知手段用ケーブルおよび前記サーモスタットケーブルは、隣り合う前記平面状加温部の向かい合う他方の角部付近間の前記加温部不存在部を延びており、
前記ホルミシス発生マットは、複数の天然放射性鉱物含有セラミックプレートが固定されたセラミックプレート保有シートを前記各平面状加温部上となるように３枚並列に収納しており、前記上面シートは、透明シートであり、前記ホルミシス発生マット内の前記セラミックプレートが視認可能であり、前記ホルミシス発生マットは、前記各加温部不存在部において折り畳み可能となっており、
さらに、前記各セラミックプレート保有シートは、複数の穴部を備えるクッション性シートと、前記穴部に収納された複数の前記セラミックプレートと、前記セラミックプレートを前記クッション性シートに固定する固定シートとを備え、
さらに、前記ホルミシス発生マットは、前記加温部不存在部を通過する部分の前記ヒーター線を被包するヒーター線保護部と、前記加温部不存在部を通過する部分の前記検知手段用ケーブルおよび前記サーモスタットケーブルを被包するケーブル保護部を備えていることを特徴とするホルミシス発生マット。
【請求項１３】
前記複数の天然放射性鉱物含有セラミックプレートは、上面の面積が、１５〜７０ｃｍ２であり、前記各平面状加温部上における枚数が、４〜１２枚である請求項１２に記載のホルミシス発生マット。
【請求項１４】
前記下面シートおよび前記上面シートは熱可塑性シートであり、前記ホルミシス発生マットは、前記下面シートとほぼ同じ形態を有し、かつ前記下面シート上に積層され、周縁部が前記下面シートに固着された熱可塑性積層シートと、前記熱可塑性積層シートの周縁部上を覆うように積層された熱可塑性フレーム状シートとを備え、前記下面シート、前記上面シート、前記熱可塑性積層シートおよび前記熱可塑性フレーム状シートは、周縁部がヒートシールされており、さらに、前記ヒートシール部の内側には、前記熱可塑性フレーム状シートの溶融物により形成された膨出部を備えている請求項１２または１３に記載のホルミシス発生マット。